(57)【要約】【課題】高いシート快適性を提供するとともにマッサージ機能がオンされているときにも個別の適合を可能とする原動機付き車両用シートを提供する。【解決手段】シート範囲１には、第１の流体給排管路２１に接続された、流体充填可能な中空体２０が配置されており、該中空体２０が、シート調整装置及び／又はマッサージ装置の一部であり、中空体２０が、原動機付き車両用シートに着座する乗員とは反対側において、シート範囲１に配置された支持装置３０で支持されている、原動機付き車両用シートにおいて、支持装置３０が、該支持装置側において、シート範囲１に配置され、流体充填可能な中空体２０から空間的に分離された支持中空体３２を含んでおり、シートの剛性及び／又はマッサージ用途の強さが、支持中空体３２の異なる大きさの充填によって追加的に調整可能である。【選択図】図２
2020075712.tif 000002
【特許請求の範囲】
【請求項１】
シート範囲（１）、特に背もたれ又は座部を有する原動機付き車両用シートであって、前記シート範囲（１）には、第１の流体給排管路（２１）に接続された、流体充填可能な少なくとも１つの中空体（２０）が配置されており、該少なくとも１つの中空体（２０）が、シート調整装置及び／又はマッサージ装置の一部であり、前記中空体（２０）が、前記原動機付き車両用シートに着座する乗員とは反対側において、同様に前記シート範囲（１）に配置された支持装置（３０）で支持されている、前記原動機付き車両用シートにおいて、
前記支持装置（３０）が、該支持装置側においてもまた、前記シート範囲（１）に配置され、流体充填可能な、少なくとも１つの中空体から空間的に分離された少なくとも１つの支持中空体（３２）を含んでおり、シートの剛性及び／又はマッサージ用途の強さが、前記支持中空体（３２）の異なる大きさの充填によって追加的に調整可能であることを特徴とする原動機付き車両用シート。
【請求項２】
前記支持中空体（３２）が、前記第１の流体給排管路（２１）とは異なる第２の流体給排管路（３１）に接続されており、特に、前記少なくとも１つの中空体（２０）への流体接続部を有していないことを特徴とする請求項１に記載の原動機付き車両用シート。
【請求項３】
前記シート範囲（１）がクッション（１０，１１）及びシートカバー（１２）を含んでいることを特徴とする請求項１又は２に記載の原動機付き車両用シート。
【請求項４】
前記流体充填可能な少なくとも１つの中空体（２０）が、前記クッション（１０，１１）における凹部（１３）に配置されていることを特徴とする請求項３に記載の原動機付き車両用シート。
【請求項５】
当該原動機付き車両用シートが、結合手段（２２）によって流体を導かないように互いに結合された複数の中空体（２０）を備えていることを特徴とする請求項１〜４のいずれか１項に記載の原動機付き車両用シート。
【請求項６】
前記複数の中空体（２０）が、前記結合手段（２２）を用いてマット状に互いに結合されていることを特徴とする請求項５に記載の原動機付き車両用シート。
【請求項７】
１つより多くの中空体（２０）の場合には、該中空体が、別々に前記流体給排管路（２１）によって充填可能であることを特徴とする請求項１〜６のいずれか１項に記載の原動機付き車両用シート。
【請求項８】
複数の中空体（２０）をグループ状にまとめることができるとともに共通に充填可能であることを特徴とする請求項５に記載の原動機付き車両用シート。
【請求項９】
前記支持中空体が前記シート範囲（１）の全ての中空体（２０）を支持するように、前記支持中空体（３２）が設定されていることを特徴とする請求項１〜８のいずれか１項に記載の原動機付き車両用シート。
【請求項１０】
前記シート範囲（１）には少なくとも２つの支持中空体（３２）が配置されており、該支持中空体が、前記シート範囲（１）の部分範囲において少なくとも１つの対応する中空体（２０）を独立して支持するように設定されていることを特徴とする請求項１〜８のいずれか１項に記載の原動機付き車両用シート。
【発明の詳細な説明】
【技術分野】
【０００１】
本発明は、請求項１の前提部分による原動機付き車両用シートに関するものである。
【背景技術】
【０００２】
流体での充填がなされ得る中空体を用いてシートの調整又は精密調整がなされる原動機付き車両用シートが知られている。すなわち、特許文献１には、クッションの下方に３つのエアクッションが配置されたシート表面拡張部が開示されており、３つのエアクッションのうち２つは互いに結合されている。当該エアクッションは、それ自体支持されているとともに、シート直前の空間を満たし、これによりクッションを持ち上げる。このとき、シート面が滑らかに維持されるとともに、空気がエアクッションから排出されるときにクッションが再び引き戻されるように、クッションカバーは、シートの下方に取り付けられた巻取装置により緊張される。エアクッションはシート部分の形状形成にのみ寄与するものであり、緊張性は、クッション及び上張り材巻取装置の緊張力によって得られる。
【０００３】
特許文献２には、異なるように満たされ、空にされ得る複数の調整ブロー部及びマッサージブロー部を有するマットが開示されている。調整が点状に作用しないようにするために、ブロー部と材料上張り材の間には、変化が平坦に現れるようにする圧力分配要素が配置されている。
【０００４】
特許文献３には、ブローが別々に操作され得るブローシステムの空圧式の充填のためのシステムが開示されている。
【０００５】
統合されたマッサージ機能を提供するこのように構成された原動機付き車両用シートは、ますます人気となっている。原動機付き車両用シートを流体充填可能なブロー部の形態で実現することが知られており、当該ブロー部は、例えば特許文献４、特許文献５又は特許文献６から公知のように、シートクッションにおける適当な凹部に設けられている。対応して、ブロー部は、シートカバーの下方に位置し、シートクッションに埋設されている。吹込み／排気及びこの過程の周期的な繰返しにより、マッサージ機能を実現することが可能である。通常、ユーザにより選択可能な異なるマッサージプログラムが実行される。選択されたマッサージプログラムに応じて、個々のブロー部又は複数の部ローブの所定のシミュレーションがなされる。車両乗員の背部へ適当な圧力をもたらすことができるように、当該部ローブは、後方で支持される必要がある。通常、このことは、クッションにおいて、又はその後ろに位置するように統合された、力を受容可能な支持プレートによってなされる。
【０００６】
通常、適当な支持プレートは比較的剛直な形成物である。なぜなら、支持プレートは、ブロー部におけるマッサージ力がマッサージされるべき人へ伝達されるようになっているべきだからである。しかし、マッサージがオフされていても支持プレートは存在したままであり、その結果、車両用シートは、全体として比較的硬いままである。加えて、身体へのマッサージ圧力に関して、異なる人では好みが異なる。
【先行技術文献】
【特許文献】
【０００７】
【特許文献１】独国特許出願公開第１０２０１３２２４１９７号明細書
【特許文献２】独国特許出願公開第１０２０１１０１０２０９号明細書
【特許文献３】独国特許出願公開第１０２０１３２２０５６３号明細書
【特許文献４】独国特許出願公開第１０２０１２０２４８５４号明細書
【特許文献５】欧州特許第１９０４３３８号明細書
【特許文献６】米国特許第６９１６３００号明細書
【発明の概要】
【発明が解決しようとする課題】
【０００８】
したがって、本発明の課題は、一方では高いシート快適性を提供し、他方ではマッサージ機能がオンされているときにも個別の適合を可能とする、冒頭に挙げた種類の原動機付き車両用シートを提供することにある。
【課題を解決するための手段】
【０００９】
当該課題は、請求項１の特徴を有する原動機付き車両用シートによって解決される。有利な実施形態は、従属請求項に記載されている。
【００１０】
本発明による対象は、シート範囲、特に背もたれ又は座部を有する原動機付き車両用シートであり、シート範囲には、第１の流体給排管路に接続された、流体充填可能な少なくとも１つの中空体が配置されている。本発明によれば、少なくとも１つの中空体は、シート調整装置及び／又はマッサージ装置の一部である。したがって、原動機付き車両の乗員にとって、支持中空体を異なる大きさで充填することで、シートの合成及び／又はマッサージ用途の強さを追加的に調整し、ひいてはシート快適性を改善することが可能となる。好ましくは、シート範囲は、クッション及びシートカバーを含んでいる。中空体は、その、原動機付き車両用シートに着座する乗員とは反対側において、同様にシート範囲に配置された支持装置において支持されている。支持装置は、当該支持装置側で、シート範囲に配置され、流体充填可能な、少なくとも１つの中空体から空間的に分離された少なくとも１つの支持中空体を含んでいる。本発明の意味合いにおける空間的な分離は、支持中空体及び少なくとも１つの中空体が、少なくとも直接的ではなく、共通の壁部における開口部を介して互いに結合されていることを意味している。ただし、特別な実施形態によれば、支持中空体も、また少なくとも１つの別の中空体も、共通の管路及び／又は共通の流体源を介して供給されることが考えられる。
【００１１】
好ましくは、支持中空体は、少なくとも１つの中空体への流体接続部を備えていない。別の好ましい一実施形態によれば、支持中空体を、第１の流体給排管路とは異なる第２の流体給排管路に接続することが可能である。流体として、液体又は気体を用いることができる。好ましくは、ここでは特に空気が考慮に入れられる。
【００１２】
流体充填可能な中空体による、従来技術に基づく固定された支持プレートの使用によって、支持体の剛性を調整可能である。これにより、中空体の充填の作用を、乗員の要求に応じて調整することが可能である。
【００１３】
特に好ましい実施形態によれば、少なくとも１つの流体充填可能な中空体は、クッションにおける凹部に配置されている。これにより、流体充填可能な中空体の不使用時には（例えばマッサージ機能がオフされている場合）、シート範囲の「通常の」支持機能が主にクッションによって担われる。
【００１４】
別の好ましい一実施形態では、原動機付き車両用シートは、結合手段によって流体を導かないように結合された複数の中空体を備えている。複数の中空体が用いられれば、当該中空体は、座部に対して固定された位置において互いに重ねて配置されることとなっている。クッションが設けられる前にまず支持中空体及び中空体が配置される、まさに座部の取付時には、シート範囲の支持構造における中空体の正確な位置決めを達成することが有利である。このとき、複数の中空体が結合手段によってマット状に互いに結合されていることが特に有利であることが分かった。したがって、マッサージ装置の使用時には、マッサージ作用にとって不都合な中空体の互いの側方の変位が生じることがない。
【００１５】
別の好ましい実施形態によれば、１つより多くの中空体の場合には、当該中空体が、別々に流体給排管路によって充填可能である。これにより、シート範囲の様々な範囲を別々に作動させることが可能である。シート範囲の所定の範囲は、乗員に適合されることが可能である。精緻さに応じて、乗員の体の大きさに対応することさえ可能である。したがって、マッサージ機能においては、所定の身体部分をマッサージすることが可能である。
【００１６】
複数の中空体をグループ状にまとめることができるとともに共通に充填可能であることが有利であると分かった。したがって、脊椎前弯症（ロードシス）又は下方の大腿部の範囲における支持部を調整することができるか、又はより大きな背部をマッサージすることが可能である。
【００１７】
特に有利な実施形態では、支持中空体がシート範囲の全ての中空体を支持するように、支持中空体が設定されている。当該実施形態では、シート範囲の剛性又はマッサージ要素の強さが均等に調整される。
【００１８】
これに代えて、本発明による対象は、シート範囲には少なくとも２つの支持中空体が配置されており、当該支持中空体が、シート範囲の部分範囲において少なくとも１つの対応する中空体を独立して支持するように構成されることができる。このような配置により、シート範囲を個別に調整することが可能となり、したがって、特有の範囲を個別に調整するとともに、異なる支持硬さを設定することが可能となる。
【００１９】
以下に、本発明を、図面に基づきいくつかの実施例について説明する。
【図面の簡単な説明】
【００２０】
【図１】従来技術を部分断面として示す図である。
【図２】適当な本発明による実施形態を部分断面として示す図である。
【図３】本発明による支持装置の別の実施例の正面図である。
【図４】複数の中空体を備えた、図３に基づく支持装置を示す図である。
【図５】１つの支持中空体がシート範囲に配置された実施形態を示す図である。
【図６】２つの支持中空体がシート範囲に配置された実施形態を示す図である。
【図７】３つの支持中空体がシート範囲に配置された実施形態を示す図である。
【発明を実施するための形態】
【００２１】
図１には、シート範囲１の部分断面が示されている。クッション１０，１１には凹部１３が設けられており、当該凹部は、シートカバー１２によって覆われている。凹部１３には、シートカバー１２に対して固定又は少なくともほぼ固定された支持装置３０が配置されており、当該支持装置は、側方でクッション１１に係着されている。支持装置３０とシートカバー１２の間には連通した空気袋の形態の中空体２０が配置されている。当該中空体２０には、流体給排管路２１を介して流体が供給され、すなわち、中空体２０は、充填され、又は空にされ、これにより、充填時には、シートカバー１２によって、当該箇所に着座する乗員の身体部分を押圧する。このとき、中空体２０は、例えば脊椎前弯症（ロードシス）様の調整装置又はマッサージ装置の一部を構成することができる。固定された支持装置３０は、このような配置において、クッション１１の可動性が損なわれ、したがって本来のシート快適性が損なわれ得ることにつながることがある。
【００２２】
図２には、本発明による原動機付き車両用シートの図１に類似した部分断面が示されている。シート範囲１は、本質的に、支持装置３０が剛直な部材ではなく同様に空気を入れて膨らますことが可能な支持中空体３２である点で従来技術とは異なっている。図示の例では、当該支持中空体３２には、好ましくは別々の流体給排管路３１を介して供給される。しかし、支持中空体３２及び少なくとも１つの中空体２０は、共通の流体源あるいは共通の管路によっても供給されることも可能であり、当該流体源あるいは管路は、実際には、一方では中空体２０に、他方では支持中空体３２に分岐している。中空体２０の不使用時には、当該中空体はほぼ空であり、支持中空体３２も空にされる。空にされた支持中空体３２は柔軟であるため、当該支持中空体は、クッション１１の可動性を損なわず、シート快適性にもネガティブな影響を与えない。中空体２０が動作すると、支持中空体３２も流体で満たされる。これにより、支持中空体はカウンタ支持部を形成するため、中空体２０の充填時に、支持中空体は、シートカバーへ上方に向けて拡張するとともに、乗員の身体部分に対して押圧する。当該押圧は、中空体２０が例えばシート範囲１の調整機能である場合には永続的であるか、又は中空体２０が例えばマッサージ機能を行うべき場合には周期的になされ得る。このために、支持中空体３２は異なる大きさで流体を充填されることができるため、中空体２０の支持作用の強さに影響を与えることが可能である。
【００２３】
支持中空体３２が強く充填されると、当該支持中空体は比較的硬くなり、その結果、乗員は相応に硬いシートを知覚する。支持中空体３２がより弱く充填されると、乗員は、これを相応により柔らかく知覚する。なぜなら、流体、特に空気での充填時に中空体２０が周囲へ及ぼす力の一部が支持中空体３２の変形に用いられるためである。
【００２４】
したがって、本発明による原動機付き車両用シートにより、従来技術に比してより個別に調整可能に調整機能及び／又はマッサージ機能を形成することができるようになっているとともに、原動機付き車両用シートの快適性を高めることができるようになっている。
【００２５】
図３には、シート範囲１、特に背もたれについての本発明による支持装置３０の一実施例が示されている。支持装置３０は、予備設定に合わせて構成された支持中空体３２を含んでいる。当該図面では、上側及び下側で、ブラケット３３が、好ましくは上側で１つ、下側で２つ、支持中空体３２につづいており、当該ブラケットには、例えば中空体２０か、又は結合手段２２と結合された中空体２０を配置することが可能である（図４に図示）。ブラケット３３は、ここではスリットとして構成されているが、押しボタン、差込みフラップ、フックその他のような可能な全ての他のブラケット３３も考えられる。当該実施例では、図面において垂直な中心線に中央の２つの固定開口部３４が配置されており、当該固定開口部によって、支持装置３０と中空体２０の複合体をシートフレームに配置することが可能である。
【００２６】
支持装置３０と中空体２０の組合せは図４に示されている。個々の中空体２０は、流体を導かない結合手段２２によってマット状に互いに上下に結合されている。当該「マット」２０，２２は、上側及び下側において、ロックハンドル又はこれに類する形態の保持要素２３を備えている。保持要素２３は、支持装置３０のブラケット３３へ係合する。中央の固定開口部３４を横切る結合手段２２が支持構造部に配置されることで、部材２０，２２，２３，３０の組合せが、例えばシート範囲１の支持構造部に配置される。他の、及び／又は別の固定点も考えられる。さらに、クッション１０，１１は、可能な凹部１３と共に配置されることが可能である。
【００２７】
図５には、流体給排管路３１を介して操作される支持中空体３２を有する支持装置３０が示されている。シート範囲１が背もたれであれば、支持装置、ひいては支持装置によって引き起こされる、背全体に対する支持作用が均等に調整される。シート範囲１が座部であれば、支持装置３０は、両大腿部に均等に作用する。
【００２８】
シート装置３０についての図６に図示された実施形態は、２つの支持中空体３２．１，３２．２を示している。両支持中空体３２．１，３２．２は、固有の流体給排管路３１．１，３１．２を介して別々に充填され、及び／又は空にされることが可能である。背もたれがシート範囲１とみなされれば、支持中空体３２．１は背骨範囲を支持する一方、当該範囲の他の支持中空体３２．２は、背骨の両側を支持する。ここでは、支持中空体３２．１が特に強く充填される一方、支持中空体３２．２がより弱く充填されることで、例えば、背骨を個別に支持することが可能である。背骨が負荷解除されるべきか、又は背骨近傍の筋肉組織がマッサージされるべき場合には、支持中空体３２．２が大きく充填される一方、支持中空体３２．１がより小さく充填される。
【００２９】
図７に図示された実施例は、３つの支持中空体３２．１，３２．２，３２．３を有する支持装置を示している。ここでも、支持中空体３２．１，３２．２，３２．３は、固有の流体給排管路３１．１，３１．２，３１．３を介して別々に充填され、及び／又は空にされることが可能である。シート範囲１が背もたれであれば、ショルダ範囲及び左右の腰部を個別に支持することが可能である。
【００３０】
したがって、本発明による原動機付き車両用シートは、高いシート快適性を提供するとともに、マッサージ機能がオンされる場合にも個別の適合を可能とするものである。
【図１】
2020075712.tif 000003
【図２】
2020075712.tif 000004
【図３】
2020075712.tif 000005
【図４】
2020075712.tif 000006
【図５】
2020075712.tif 000007
【図６】
2020075712.tif 000008
【図７】
2020075712.tif 000009
【外国語明細書】
2020075712000001.pdf